(57)【要約】【課題】蒸気供給による洗濯物の加熱洗いを実行可能であって、洗剤を洗濯物全体に自動的に塗すことができ、洗濯物にシワが生じ難い洗濯機を提供すること。【解決手段】洗濯物を直接加熱したり、洗剤液を加熱したりすることによって、洗濯物の加熱洗いを行なう場合において、まず、ドラム３を回転するとともに、洗剤液を供給することによって、洗濯物全体に高濃度の洗剤液が塗される。また、洗濯物の加熱洗いが、中高温設定の６０℃で開始され、中温設定の５０℃で終了される。さらに、加熱洗い後のすすぎにおいても、すすぎ水が蒸気によって加熱され、低温設定の４０℃ですすぎが行なわれる。【選択図】図３Ａ
2008125889.tif 000002
【特許請求の範囲】
【請求項１】
洗濯物を収容し、洗濯物の洗い、すすぎなどの処理を行なう処理槽と、
前記処理槽へ水を供給する給水手段と、
前記処理槽へ洗剤を供給する洗剤供給手段と、
洗濯物を加熱するために、前記処理槽へ蒸気を供給する蒸気供給手段と、を有し、洗剤塗布工程および洗い工程を順に行なう洗濯機であって、
前記洗剤塗布工程では、前記洗剤供給手段から洗剤を供給し、洗剤を洗濯物全体に塗すことを特徴とする、洗濯機。
【請求項２】
前記洗剤塗布工程は、前記給水手段から少量の水を供給して、洗濯物全体を濡らす処理を含むことを特徴とする、請求項１記載の洗濯機。
【請求項３】
前記洗剤塗布工程は、洗剤を洗濯物全体に塗すとともに、前記蒸気供給手段から蒸気を供給して、洗剤が塗された洗濯物を蒸気で加熱する処理を含むことを特徴とする、請求項１または２に記載の洗濯機。
【請求項４】
前記処理槽は、水を溜めるための外槽と、
前記外槽内に回転自在に設けられ、前記外槽内と水および気体が流通自在に連通された、洗濯物を収容するための内槽と、を有し、
前記洗剤塗布工程では、洗剤を洗濯物全体に塗すため、および、洗濯物全体を濡らすために、前記内槽を所定の態様で回転させることを特徴とする、請求項１ないし３のいずれかに記載の洗濯機。
【請求項５】
前記洗剤塗布工程に先立って、前記給水手段から水を供給して、前記内槽の最下面に水面が接する第１の初期設定水位、または前記第１の初期設定水位の水面が前記内槽内に少しだけ進入する第２の初期設定水位まで、前記外槽に水を溜める初期給水工程を実行する初期給水工程実行手段を備えることを特徴とする、請求項４記載の洗濯機。
【請求項６】
洗濯物を収容し、洗濯物の洗い、すすぎなどの処理を行なう処理槽と、
前記処理槽へ水を供給する給水手段と、
前記処理槽へ洗剤を供給する洗剤供給手段と、
洗濯物を加熱するために、前記処理槽へ蒸気を供給する蒸気供給手段と、
前記洗剤供給手段から洗剤を供給し、前記給水手段から水を供給し、前記蒸気供給手段から蒸気を供給することによって、洗濯物周囲の環境温度が予め定める高温度の温度環境中で、洗濯物の洗いを開始し、前記環境温度を、前記高温度より低い予め定める低温度まで低下させて、洗いを終了する加熱洗い工程を実行する加熱洗い工程実行手段と、を備えることを特徴とする、洗濯機。
【請求項７】
前記加熱洗い工程実行手段は、前記蒸気供給手段から供給する蒸気の量を、段階的に減らすことにより、前記環境温度を段階的に低下させることを特徴とする、請求項６記載の洗濯機。
【請求項８】
前記加熱洗い工程実行手段は、前記給水手段から給水し、前記処理槽に溜める水の量を段階的に増やすことにより、前記環境温度を段階的に低下させることを特徴とする、請求項６または７に記載の洗濯機。
【発明の詳細な説明】
【技術分野】
【０００１】
この発明は、洗濯機、詳しくは、蒸気を供給することにより洗濯物を加熱して洗うことができる洗濯機に関する。
【背景技術】
【０００２】
従来から、洗剤液がしみ込んだ洗濯物に蒸気を与えることによって、洗剤液の温度を高めて洗濯物の汚れを分解する洗濯方法が知られている。
そのような洗濯方法を実行する洗濯機には、たとえば水を溜めるための水受け槽と、水受け槽に配設され、水受け槽と連通しており、洗い、すすぎおよび脱水などの処理を行なう洗濯兼脱水槽と、水受け槽に給水するために開閉される給水弁と、水受け槽内の水を循環させるための循環経路と、水受け槽内の水を循環経路へ吸い出すための循環ポンプと、洗濯兼脱水槽の上部に設けられ、循環経路を通る水を洗濯兼脱水槽内に散布するための散水ノズルと、洗濯兼脱水槽に蒸気を供給するための蒸気供給装置とが、備えられている（たとえば、特許文献１参照）。
【０００３】
特許文献１記載の洗濯機では、ユーザが、洗濯兼脱水槽に洗濯物および洗剤を投入し、運転を開始させることにより、給水弁が「開」にされて水受け槽に給水され、洗濯兼脱水槽の所定水位まで給水される。これにより、洗剤と水が混じり合って洗剤液が生成する。そして、循環ポンプが作動することにより、水受け槽内の洗剤液が、循環経路に吸い出され、循環経路を通り、散水ノズルから洗濯兼脱水槽内の洗濯物に散布される。洗濯物に洗剤液が散布されることによって、洗濯物全体に洗剤液がしみ込ませられる。その後、蒸気供給装置が作動して、洗濯兼脱水槽内の洗濯物に蒸気が供給される。これにより、洗濯物にしみ込んだ洗剤液の温度が高められ、この高温の洗剤液によって、洗濯物の汚れが落とされる。
【０００４】
ところで、近年、洗濯物の特定部位に特殊な洗剤を塗布し、その洗濯物の洗濯を洗濯機で行なうことが検討されている。たとえば、カッターシャツの襟元や袖口に塗布された後、加熱されることによって、しみ汚れなどと速やかに化学反応して、短時間で汚れを落とすことができる特殊洗剤（しみ抜き洗剤）が開発されており、かかる特殊洗剤が塗布された洗濯物を洗濯機に投入し、この洗濯物に蒸気を供給することにより、洗濯物を加熱して洗うことが検討されている。
【特許文献１】特開２００３−９３７７５号公報
【発明の開示】
【発明が解決しようとする課題】
【０００５】
ところが、特殊洗剤の使用に際しては、洗濯物に特殊洗剤を人手によって塗布しなければならず、このような塗布作業が非常に手間である。
また、上記のように、洗濯物をある程度の温度（たとえば、７０℃）まで加熱して洗う加熱洗いを行なった後、洗剤がしみ込んだ洗濯物をすすぐために冷たい水が供給されると、その水によって洗濯物の温度が急激に下げられる。
【０００６】
化学繊維の一部には、急激な温度変化によって洗濯物のシワを固定化させてしまう性質のものがあり、このような性質の化学繊維を組成として含む洗濯物が、加熱洗い後に急激に冷やされると、洗濯後の洗濯物にシワが生じてしまい好ましくない。
この発明は、かかる背景のもとになされたもので、蒸気を供給することにより洗濯物の加熱洗いを行なうことができる洗濯機において、洗剤を洗濯物全体に自動的に塗すことができる洗濯機を提供することを主たる目的とする。
【０００７】
また、この発明は、洗濯物の加熱洗いを行なうことができる洗濯機において、洗濯後の洗濯物にシワが生じ難い洗濯機を提供することを別の目的とする。
【課題を解決するための手段】
【０００８】
請求項１記載の発明は、洗濯物を収容し、洗濯物の洗い、すすぎなどの処理を行なう処理槽と、前記処理槽へ水を供給する給水手段と、前記処理槽へ洗剤を供給する洗剤供給手段と、洗濯物を加熱するために、前記処理槽へ蒸気を供給する蒸気供給手段と、を有し、洗剤塗布工程および洗い工程を順に行なう洗濯機であって、前記洗剤塗布工程では、前記洗剤供給手段から洗剤を供給し、洗剤を洗濯物全体に塗すことを特徴とする、洗濯機である。
【０００９】
請求項２記載の発明は、前記洗剤塗布工程は、前記給水手段から少量の水を供給して、洗濯物全体を濡らす処理を含むことを特徴とする、請求項１記載の洗濯機である。
請求項３記載の発明は、前記洗剤塗布工程は、洗剤を洗濯物全体に塗すとともに、前記蒸気供給手段から蒸気を供給して、洗剤が塗された洗濯物を蒸気で加熱する処理を含むことを特徴とする、請求項１または２に記載の洗濯機である。
【００１０】
請求項４記載の発明は、前記処理槽は、水を溜めるための外槽と、前記外槽内に回転自在に設けられ、前記外槽内と水および気体が流通自在に連通された、洗濯物を収容するための内槽と、を有し、前記洗剤塗布工程では、洗剤を洗濯物全体に塗すため、および、洗濯物全体を濡らすために、前記内槽を所定の態様で回転させることを特徴とする、請求項１ないし３のいずれかに記載の洗濯機である。
【００１１】
請求項５記載の発明は、前記洗剤塗布工程に先立って、前記給水手段から水を供給して、前記内槽の最下面に水面が接する第１の初期設定水位、または前記第１の初期設定水位の水面が前記内槽内に少しだけ進入する第２の初期設定水位まで、前記外槽に水を溜める初期給水工程を実行する初期給水工程実行手段を備えることを特徴とする、請求項４記載の洗濯機である。
【００１２】
請求項６記載の発明は、洗濯物を収容し、洗濯物の洗い、すすぎなどの処理を行なう処理槽と、前記処理槽へ水を供給する給水手段と、前記処理槽へ洗剤を供給する洗剤供給手段と、洗濯物を加熱するために、前記処理槽へ蒸気を供給する蒸気供給手段と、前記洗剤供給手段から洗剤を供給し、前記給水手段から水を供給し、前記蒸気供給手段から蒸気を供給することによって、洗濯物周囲の環境温度が予め定める高温度の温度環境中で、洗濯物の洗いを開始し、前記環境温度を、前記高温度より低い予め定める低温度まで低下させて、洗いを終了する加熱洗い工程を実行する加熱洗い工程実行手段と、を備えることを特徴とする、洗濯機である。
【００１３】
請求項７記載の発明は、前記加熱洗い工程実行手段は、前記蒸気供給手段から供給する蒸気の量を、段階的に減らすことにより、前記環境温度を段階的に低下させることを特徴とする、請求項６記載の洗濯機である。
請求項８記載の発明は、前記加熱洗い工程実行手段は、前記給水手段から給水し、前記処理槽に溜める水の量を段階的に増やすことにより、前記環境温度を段階的に低下させることを特徴とする、請求項６または７に記載の洗濯機である。
【発明の効果】
【００１４】
請求項１記載の発明によれば、洗い工程の前に行なわれる洗剤塗布工程において、洗剤が、洗剤供給手段から供給されて洗濯物全体に塗される。
洗濯物の洗い工程前に、洗剤が洗濯物に自動的に塗布されるので、洗濯物を処理槽に収容する前に、洗剤を洗濯物に手作業で塗布する手間を省略することができる。また、蒸気供給手段が備えられているので、洗濯物全体に洗剤を塗した後、蒸気供給手段から蒸気を供給して洗い工程を行なうことによって、洗濯物全体にしみ込んだ洗剤と洗濯物に付着した汚れとの化学反応を促進させて、短時間で洗濯物全体の汚れを落とすことができる。
【００１５】
請求項２記載の発明によれば、洗剤塗布工程には、給水手段から少量の水が供給されて、洗濯物全体が濡らされる処理が含まれる。
洗濯物全体が、少量の水で濡らされることにより、乾燥状態の洗濯物と比較して、洗濯物の嵩を減らし、処理槽内に大きな空間を確保することができる。その結果、洗剤が塗布された洗濯物を蒸気で加熱する場合において、処理槽内に蒸気を充満させやすくすることができるので、短時間で洗濯物全体をムラなく加熱することができ、効率よく洗剤と汚れとの化学反応を促進させることができる。また、濡れた洗濯物は、洗剤液になじみやすく、洗濯物全体に洗剤が塗布されやすい。
【００１６】
請求項３記載の発明によれば、洗剤塗布工程には、洗濯物全体に洗剤が塗されるとともに、蒸気供給手段から蒸気が供給されて、洗剤が塗された洗濯物が蒸気で加熱される処理が含まれる。洗濯物が蒸気で加熱されることにより、洗濯物に塗された洗剤と洗濯物に付着した汚れとの化学反応を促進させて、短時間で洗濯物の汚れを落とすことができる。
請求項４記載の発明によれば、洗剤塗布工程において、洗剤を洗濯物全体に塗すため、および、洗濯物全体を濡らすために、内槽が所定の態様で回転させられる。
【００１７】
内槽を回転させることにより、洗濯物全体に満遍なく洗剤を塗すことができる。その結果、洗濯物に蒸気で加熱する場合において、洗濯物に付着した汚れを全体的にムラなく落とすことができる。
請求項５記載の発明によれば、洗剤塗布工程に先立って、初期給水工程実行手段によって、給水手段から水を供給して、第１の初期設定水位または第２の初期設定水位まで、外槽に水を溜める初期給水工程が実行される。
【００１８】
内槽の最下面に水面が接する第１の初期設定水位まで水が溜められるので、外槽の空間のうち、内槽の最下面より低い部分が水で満たされる。そのため、その後の洗剤塗布工程において洗剤が投入されたときに、その洗剤が、たとえば、外槽の下部に接続された排水管内などに流入することを抑制することができる。その結果、洗剤のロスを減らし、投入された洗剤を無駄なく洗濯物に塗すことができる。また、第１の初期設定水位の水面が内槽内に少しだけ進入する第２の初期設定水位まで水が溜められると、内槽を回転させることによって、その溜められた水を、洗濯物を濡らすために寄与させることができる。
【００１９】
請求項６記載の発明によれば、加熱洗い工程実行手段によって、洗剤供給手段から洗剤を供給し、給水手段から水を供給し、蒸気供給手段から蒸気を供給することによって、洗濯物周囲の環境温度が予め定める高温度の温度環境中で、洗濯物の洗いを開始し、高温度の環境温度を低温度まで低下させて、洗いを終了する加熱洗い工程が実行される。
洗濯物周囲の環境温度が予め定める高温度（たとえば、７０℃）の温度環境中で、洗いが開始されるので、洗剤と洗濯物に付着した汚れとの化学反応を促進させて、短時間で洗濯物の汚れを落とすことができる。また、高温度の環境温度のまま、すすぎ工程に移行せず、環境温度を、高温度より低い予め定める低温度まで低下させて洗いを終了し、すすぎ工程に移行するので、すすぎ工程開始時に供給される水によって、洗濯物が急激に冷やされることを抑制することができる。
【００２０】
その結果、洗濯物が、急激な温度変化によって洗濯物のシワを固定化させてしまう性質の化学繊維を組成として含んでいても、洗濯物にシワが生じ難くすることができる。なお、環境温度を低下させるには、連続的に徐々に低下させてもよいし、段階的に低下させてもよい。
請求項７記載の発明によれば、加熱洗い工程実行手段によって、蒸気供給手段から供給される蒸気の量が、段階的に減らされることにより、環境温度が段階的に低下させられる。被加熱対象への蒸気の供給量と被加熱対象の温度上昇度とは、比例関係にあるので、蒸気の供給量を調節することにより、簡単に被加熱対象の温度上昇度を調節することができる。つまり、請求項７のように、蒸気供給手段からの蒸気量を段階的に減らせば、簡単に、環境温度を段階的に低下させることができる。
【００２１】
請求項８記載の発明によれば、加熱洗い工程実行手段によって、給水手段から供給され、処理槽に溜められる水の量が段階的に増やされることにより、環境温度が段階的に低下させられる。被冷却対象への水の供給量と被冷却対象の温度下降度とは、比例関係にあるので、水の供給量を調節することにより、簡単に被冷却対象の温度下降度を調節することができる。つまり、請求項８のように、処理槽に溜める水量を段階的に増やせば、簡単に、環境温度を段階的に低下させることができる。
【発明を実施するための最良の形態】
【００２２】
以下には、図面を参照して、この発明の実施形態について具体的に説明をする。
図１は、この発明の一実施形態に係るドラム式洗濯機１の概略配管図である。
ドラム式洗濯機１は、主にコインランドリー店舗、クリーニング施設、一般家庭などに導入される洗濯機である。
ドラム式洗濯機１は、内部に水を溜めることができる外槽２と、外槽２内に回転自在に配置されている略円筒状のドラム３（内槽）とを備えており、ドラム３内に洗濯物を収容して洗濯を行なうことができる。なお、外槽２およびドラム３が、この発明の処理槽に相当する。
【００２３】
ドラム３の周面には、外槽２内と水および蒸気が流通自在に連通された貫通孔４が形成されている。そのため、外槽２に水や蒸気を供給することによって、この貫通孔４を通して、ドラム３内にも供給することができる。
ドラム３の内周面には、その円周方向に、複数のバッフル５（この実施形態では３つ）が略等間隔に突設されている。洗濯時にドラム３が回転すると、ドラム３に収容された洗濯物がバッフル５により持ち上げられ、自然落下するいわゆる叩き洗いが行なわれる。
【００２４】
外槽２の周囲には、給水部６および蒸気供給部７（蒸気供給手段）が設けられている。
給水部６は、外槽２に水や洗剤を供給する部分であり、水道水供給部８（給水手段）と助剤供給部９（洗剤供給手段）とを含んでいる。
水道水供給部８は、外槽２に水道水を供給する部分であり、一端が外槽２の周壁に接続された給水管１０を備えている。給水管１０の他端には、水道栓などの外部の給水設備（図示せず）などに接続される水取入口１１が形成されており、水取入口１１と外部の給水設備とを接続することによって、外部の給水設備と外槽２とを連通させることができる。
【００２５】
給水管１０の途中には、給水用ストレーナ１２、逆止弁１３および給水バルブ１４が、水の流れ方向に見て上流側から、この順に設けられている。
水道水を外槽２に供給するには、給水バルブ１４を「開」にすればよい。給水バルブ１４を「開」にすることによって、外部の給水設備から給水管１０に流入し、給水バルブ１４で塞き止められていた水道水が、給水管１０を流れて外槽２へ供給される。なお、給水管１０を流れる水に異物などが混入している場合には、その異物は、給水用ストレーナ１２によって捕捉される。また、逆止弁１３によって水の逆流が防止されるようになっている。
【００２６】
また、給水管１０の途中であって、給水バルブ１４の下流側には、合流管１５が設けられている。
合流管１５は、水道水供給部８から水道水を供給するのに換えて、外槽２へ温水を供給するための温水供給部１６とつながっている。つまり、温水供給部１６を、この発明の給水手段として機能させることができる。
【００２７】
温水供給部１６は、外部に設置される給湯器などの温水供給設備（図示せず）から供給される温水を、機内に取り入れるための温水供給装置１７を備えている。
温水供給装置１７には、温水供給管１８が収納されており、温水供給管１８の一端は、温水供給装置１７の外壁から露出して、合流管１５に接続されている接続管１９と接続されている。一方、温水供給管１８の他端には、外部の温水供給設備に接続される温水取入口２０が形成されており、温水取入口２０と外部の温水供給設備とを接続することによって、外部の温水供給設備と外槽２とを連通させることができる。
【００２８】
温水供給管１８の途中であって、温水供給装置１７内には、温水用ストレーナ２１および温水供給バルブ２２が、水の流れ方向に見て上流側から、この順に設けられている。
温水を外槽２に供給するには、給水バルブ１４を「閉」にし、温水供給バルブ２２を「開」にすればよい。これらのバルブをこのように操作することによって、外部の温水供給設備から温水供給管１８に流入し、温水供給バルブ２２で塞き止められていた温水が、温水供給管１８内を流れ、合流管１５において、給水管１０へと流れて外槽２へ供給される。なお、温水供給管１８を流れる温水に異物などが混入している場合には、その異物は、温水用ストレーナ２１によって捕捉される。
【００２９】
また、ドラム式洗濯機１の設置スペースに制限がある場合など、温水供給部１６を設けることが困難な場合には、温水供給部１６を設けずに、外部の給水設備から供給される水道水のみを使用する仕様にすることもできる。
助剤供給部９は、外槽２に洗剤を含んだ洗剤液や柔軟剤を含んだ柔軟剤液を供給する部分である。
【００３０】
助剤供給部９は、給水管１０における、給水バルブ１４と逆止弁１３との間に設けられた分岐管２３に接続される、助剤供給管２４を備えている。助剤供給管２４の終端は、外槽２の周壁上部に形成された、助剤供給口２５に接続されている。
助剤供給管２４は、その途中で、洗剤液供給管２６と柔軟剤液供給管２７とに分岐されており、これら２つの供給管（２６、２７）の終端は、洗濯に使用するための助剤（たとえば、洗剤や柔軟剤）を収容するための助剤収容部２８につながっている。
【００３１】
助剤収容部２８の内部には、洗剤を収容するための洗剤収容器２９と、柔軟剤を収容するための柔軟剤収容器３０とが互いに並んで収容されている。そして、洗剤収容器２９の上部には、洗剤液供給管２６の終端開口３１が、洗剤収容器２９内部に臨むように配置されている。一方、柔軟剤収容器３０の上部には、柔軟剤液供給管２７の終端開口３２が、柔軟剤収容器３０内部に臨むように配置されている。
【００３２】
また、洗剤液供給管２６および柔軟剤液供給管２７の途中には、これら２つの供給管（２６、２７）の管路を開閉するための洗剤液供給バルブ３３および柔軟剤液供給バルブ３４がそれぞれ設けられている。
洗剤を溶解した洗剤液を外槽２に供給するには、給水バルブ１４を「閉」にし、洗剤液供給バルブ３３を「開」にすればよい。これらのバルブをこのように操作することによって、外部の給水設備から、給水管１０、助剤供給管２４および洗剤液供給管２６へと流入し、洗剤液供給バルブ３３で塞き止められていた水が、洗剤収容器２９の内部に流出する。洗剤収容器２９の内部に水が流出すると、洗剤収容器２９に予め収容されていた洗剤を溶解し、洗剤液となって、再び助剤供給管２４を通って外槽２に供給される。
【００３３】
そして、外槽２に供給された洗剤液は、その自重により外槽２内を落下するので、洗剤液の一部は、ドラム３の周面に衝突する。ドラム３の周面に衝突した洗剤液は、その後、周面上を伝って、貫通孔４からドラム３内に供給される。一方、他の洗剤液は、たとえば、ドラム３の周面に衝突せずに、外槽２の内周面や外槽２の前面に設けられた蓋（図示せず）を伝って、外槽２内に溜められる。この場合において、外槽２内における、ドラム３の下面より高い位置まで洗剤液が溜められると、その洗剤液も貫通孔４を通ってドラム３内に供給される。
【００３４】
一方、外槽２に柔軟剤を溶解した柔軟剤液を供給するには、給水バルブ１４を「閉」にし、柔軟剤液供給バルブ３４を「開」にすればよい。このように操作することによって、柔軟剤を溶解した柔軟剤液が、洗剤液の場合と同様に、外槽２内およびドラム３内に供給される。
なお、助剤供給管２４の途中に、洗剤収容器２９および柔軟剤収容器３０への給水量を調節するための、手動の調節バルブ３５が設けられているため、ユーザは、洗剤液や柔軟剤液を外槽２に供給する際、洗剤収容器２９および柔軟剤収容器３０から水が溢れ出たりしないかどうかをチェックしながら、調節バルブ３５を回転させることにより、給水量を調節することができる。
【００３５】
蒸気供給部７は、外槽２へ蒸気を供給する部分である。
蒸気供給部７は、一端が、外部の蒸気発生装置（図示せず）に接続された蒸気供給管３６を備えており、蒸気供給管３６は、その途中で、第１蒸気供給管３７と、第２蒸気供給管３８と、第３蒸気供給管３９とに分岐されている。
第１蒸気供給管３７の終端は、外槽２の、溢水口５７（後述）とほぼ同じ高さの位置に形成された第１蒸気噴出口４０に接続されている。また、第１蒸気供給管３７の途中には、第１蒸気供給管３７の管路を開閉するための第１蒸気供給バルブ４１が設けられている。
【００３６】
第１蒸気供給管３７から外槽２に蒸気を供給するには、第１蒸気供給バルブ４１を「開」にすればよい。第１蒸気供給バルブ４１を「開」にすることによって、外部の蒸気発生装置から蒸気供給管３６および第１蒸気供給管３７に流入し、第１蒸気供給バルブ４１で塞き止められていた蒸気が、外槽２内へと噴出する。この際、外槽２内の水位が溢水口５７未満の水位であれば、蒸気は、外槽２の空間に噴出し、ドラム３に衝突して外槽２内に充満する。外槽２に蒸気が充満すると、その蒸気の一部がドラム３の貫通孔４を通過して、ドラム３内にも充満する。そのため、ドラム３に洗濯物が収容されていると、その洗濯物は、ドラム３内に充満した蒸気に包み込まれて加熱される。このように、第１蒸気供給管３７から蒸気を供給することによって、ドラム３内に収容された洗濯物を直接加熱することができる。
【００３７】
第２蒸気供給管３８の終端は、外槽２の、ドラム３の下面より低い位置に形成された第２蒸気噴出口４２に接続されている。また、第２蒸気供給管３８の途中には、第２蒸気供給管３８の管路を開閉するための第２蒸気供給バルブ４３が設けられている。
第２蒸気供給管３８から外槽２に蒸気を供給するには、第２蒸気供給バルブ４３を「開」にすればよい。第２蒸気供給バルブ４３を「開」にすることによって、外部の蒸気発生装置から蒸気供給管３６および第２蒸気供給管３８に流入し、第２蒸気供給バルブ４３で塞き止められていた蒸気が、外槽２内へと噴出する。
【００３８】
この際、第２蒸気噴出口４２を覆う程度に外槽２内に水が溜められていれば、蒸気は、外槽２に溜められた水の中に噴出し、水と混じり合う。蒸気は高温であり、水は蒸気に比べて低温であるため、混じり合うときに、蒸気と水との間で熱交換が行なわれて、水が加熱される。また、ドラム３が漬かる程度に外槽２内に水が溜められている場合には、この加熱された水によってドラム３が加熱されるため、ドラム３内の洗濯物が加熱される。また、洗濯物は、加熱された水に直接触れることによっても加熱される。このように、第２蒸気供給管３８から蒸気を供給することによって、外槽２内に溜められた水を加熱することができ、また、洗濯物を間接的に加熱することもできる。
【００３９】
第３蒸気供給管３９の終端は、外槽２のほぼ中央部に形成された、第３蒸気噴出口４４に接続されている。第３蒸気供給管３９の途中には、第３蒸気供給管３９の管路を開閉するための、第３蒸気供給バルブ４５が設けられている。また、第３蒸気供給管３９の途中であって、第３蒸気供給バルブ４５の下流側には、エゼクタ４６が設けられている。
エゼクタ４６には、一端が、のり水が溜められるのり水収容器４７につながっている、のり水供給管４８の他端が接続されている。
【００４０】
第３蒸気供給管３９から外槽２に蒸気を供給するには、第３蒸気供給バルブ４５を「開」にすればよい。第３蒸気供給バルブ４５を「開」にすることによって、外部の蒸気発生装置から蒸気供給管３６および第３蒸気供給管３９に流入し、第３蒸気供給バルブ４５で塞き止められていた蒸気が、エゼクタ４６の方向へと第３蒸気供給管３９を流れる。
そして、蒸気がエゼクタ４６を外槽２の方向へと通過すると、エゼクタ４６内に負圧が生じ、のり水がエゼクタ４６に吸い込まれて蒸気に混入される。のり水を含んだ蒸気は、第３蒸気噴出口４４から外槽２内に噴出し、第１蒸気供給管３７から外槽２への蒸気供給の場合と同様に、ドラム３内の洗濯物に供給される。このように、第３蒸気供給管３９から蒸気を供給することによって、洗濯物が、のり水を含んだ蒸気に包み込まれるため、たとえば、ワイシャツなど型崩れをさせたくない衣類に、容易にのり付けを行なうことができる。
【００４１】
なお、蒸気供給管３６を流れる蒸気に異物などが混入している場合には、その異物は、各蒸気供給管（３７、３８、３９）に流れ出す前に、蒸気供給管３６に設けられた蒸気用ストレーナ４９で捕捉される。
外槽２の周壁上部には、外槽２内の空気を排出するための排気口５０が設けられおり、排気口５０には、排気管５１の一端が接続されている。排気管５１の他端は、機外に露出しているため（図示せず）、外槽２内の空気は、排気管５１を通って機外に排出されるようになっている。
【００４２】
排気管５１の途中には、排気管５１を通過する空気の温度を測定する排気温度センサ５２が設けられている。排気管５１を通過する空気と外槽２内の空気との温度差は、略ゼロに近いため、排気温度センサ５２を用いて排気空気の温度を測定することによって、外槽２内の空気温度を知ることができる。そのため、第１蒸気供給管３７から外槽２に蒸気を供給して、ドラム３内の洗濯物を予め定める設定温度まで加熱する際、洗濯物が当該設定温度まで加熱されたか否かを、排気温度センサ５２の測定温度に基づき判断することができる。
【００４３】
また、外槽２の下部には、外槽２に溜められた水の温度を測定するための水温度センサ５３が設けられている。この水温度センサ５３によって、外槽２に溜められた水のみならず、外槽２に溜められた洗剤液の温度も測定することができるので、たとえば、水蒸気供給管３５から洗剤液中に蒸気を供給して、洗剤液を予め定める設定温度まで加熱する際、洗剤液が当該設定温度まで加熱されたか否かを、水温度センサ５３の測定温度に基づき判断することができる。
【００４４】
また、外槽２の最下部には、外槽２に溜められた水を排出するための排水口５４が形成されており、排水口５４には、一端が機外の排水溝へと延びる排水管５５が接続されている。外槽２内の水を機外に排水するには、排水管５５に設けられた排水バルブ５６を「開」にすればよい。
また、外槽２の周壁の所定の高さには、溢水口５７が形成されており、溢水口５７には、溢水管５８の一端が接続されている。溢水管５８の他端は、排水管５５の排水バルブ５６よりも下流側に合流されているため、外槽２内の水が溢水口５７の高さ以上に達した場合、その高さ以上の水が機外に排出されるようになっている。
【００４５】
さらに、外槽２には、外槽２内の水位を検知するための水位センサ５９が設けられている。水位センサ５９としては、たとえば、外槽２に溜められた水の圧力により水位を測定できる圧力式の水位センサなどが用いられる。
図２は、ドラム式洗濯機１の電気的構成を示すブロック図であって、この発明に関連する部分を示したものである。
【００４６】
ドラム式洗濯機１には、たとえば、マイクロコンピュータなどで構成された、制御部６０が備えられている。
制御部６０には、ＣＰＵ６１と、ＲＯＭ６２と、タイマ６３と、ＲＡＭ６４とが備えられており、たとえば、ＲＯＭ６２に読み込まれたプログラム（ソフトウェア）に基づいてＣＰＵ６１が実行する機能によって、ドラム式洗濯機１の運転が制御され、初期給水工程実行手段および加熱洗い工程実行手段が実現される。
【００４７】
制御部６０には、ドラム式洗濯機１の外形を構成する筐体（図示せず）に設置された操作パネル６５に設けられた、スタート／ストップキー６６と、プログラムセレクトキー６７とが接続されており、ユーザがこれらのキーを操作することにより、その操作に対応した入力信号が制御部６０に入力される。たとえば、ユーザが、プログラムセレクトキー６７を押して所望の洗濯プログラムを選択し、スタート／ストップキー６６を押せば、当該洗濯プログラムに対応する入力信号が、制御部６０のＲＯＭ６２に読み込まれ、制御部６０のＣＰＵ６１によって実行される。
【００４８】
また、制御部６０には、各種センサとして、排気温度センサ５２、水温度センサ５３および水位センサ５９が接続されている。
一方、各種制御対象として、制御部６０には、ドラム３、給水バルブ１４、洗剤液供給バルブ３３、第１蒸気供給バルブ４１、第２蒸気供給バルブ４３および排水バルブ５６が接続されている。これら各種制御対象は、ユーザが操作部６５を操作したり、制御部６０に上記各種センサからの入力信号が与えられたりすることにより、制御部６０によって制御される。
【００４９】
図３Ａは、ドラム式洗濯機１の運転の流れを示すフローチャートである。図３Ｂは、ドラム式洗濯機１の運転の流れを示すフローチャートであって、図３Ａに示されるフローに続くフローを示す図である。図３Ｃは、ドラム式洗濯機１の運転の流れを示すフローチャートであって、図３Ｂに示されるフローに続くフローを示す図である。
次に、ドラム式洗濯機１の運転の流れについて、図２に加え、図３Ａ、図３Ｂおよび図３Ｃを参照して説明する。
【００５０】
このドラム式洗濯機１では、ユーザが所望の洗濯プログラムを選択して運転を開始させることにより、蒸気で洗濯物を加熱しながら洗う加熱洗い→すすぎ→脱水の処理が順に行なわれて洗濯が行なわれる。
まず、ドラム３内に洗濯物が収容され、プログラムセレクトキー６７およびスタート／ストップキー６６が押されることにより、ドラム式洗濯機１の運転が開始される。運転が開始されると、まず、ドアロックがされているか確認されるとともに、排水バルブ５６が「閉」にされる（ステップＳ１）。ここで、ドアロックの確認とは、外槽２から外部へ水が漏れ出すことを防止するべく、外槽２が液密的に密閉されているか確認する処理であって、たとえば、ドラム式洗濯機１の外形を構成する筐体（図示せず）に設けられ、外槽２を密閉するための開閉蓋（図示せず）が閉まっているか確認することによって実行される。そして、ステップＳ１の処理に続いて、工程１が開始される（ステップＳ２）。
【００５１】
工程１が開始されると、外槽２内への給水が開始されることにより、初期給水工程が開始されるとともに、ドラム３の回転が開始され、洗濯物の加熱が開始される（ステップＳ３）。より具体的には、給水バルブ１４が「開」にされて、外槽２に給水され、水面が、ドラム３の最下面に接する水位（第１の初期設定水位）からドラム３内に少し進入する水位Ａ（図１参照）（第２の初期設定水位）まで水が溜められる。また、給水とともに、ドラム３が、予め設定されている中速設定の回転数（たとえば、４０ｒｐｍ〜５０ｒｐｍ）で回転される。また、第１蒸気供給バルブ４１が「開」にされて、蒸気が外槽２の空間に供給されることにより、洗濯物の加熱が行なわれる。工程１開始の時点では、外槽２内に水が溜められていないので、外槽２の空間に供給された蒸気が、貫通孔４を介してドラム３内にも充満して洗濯物を包み込むため、洗濯物全体がムラなく加熱される。
【００５２】
また、外槽２に充満した蒸気が排気管５１を通って機外に向かう際に、排気温度センサ５２で蒸気温度が測定される。そして、この測定温度に基づき、第１蒸気供給バルブ４１の「開」状態および「閉」状態の時間が適宜調節される。これにより、外槽２に供給される蒸気量が調節されるため、洗濯物を予め定められた設定温度（高温設定：たとえば、７０℃）付近で安定して加熱することができる。
【００５３】
そして、上記した処理（ステップＳ３）の開始後、水位Ａまで、外槽２内に水が溜められたか否か判別される（ステップＳ４）。この判別は、水位センサ５９により測定され、水位Ａまで水が溜められていなければ（ステップＳ４のＮｏ）、溜められるまで給水バルブ１４の「開」が継続されて給水が継続される。その後、外槽２内の水位が水位Ａまで到達すると（ステップＳ４のＹｅｓ）、給水バルブ１４が「閉」にされて、給水が停止されることにより初期給水工程が終了される。初期給水工程の終了とともに、外槽２への洗剤液の供給が開始されることにより（ステップＳ５）、洗剤塗布工程が開始される。
【００５４】
このように、初期給水工程では、洗剤液の供給が開始される前に、水位Ａまで水が溜められるので、外槽２の空間のうちドラム３より低い部分および排水管５５における排水バルブ５６の上流側（図１の斜線領域Ｂ参照）が、水で満たされる。そのため、その後外槽２内に供給される洗剤液が、外槽２における水位Ａより低い部分に溜まったり、排水管５５内などに流入したりすることによって、洗濯物の洗いに使用できなくなることを抑制することができ、洗剤液のロスを減らすことができる。また、水位Ａは、水面がドラム３の最下面よりドラム３内に少し進入する位置に設定されているので、後に洗剤が投入されたときに、その洗剤と水とが混じり合ってできる洗浄水が洗濯物の下部に触れるため、この洗浄水を用いて洗濯物の洗いを行なうことができる。
【００５５】
洗剤塗布工程では、制御部６０の制御により、洗剤液供給バルブ３３が自動的に「開」にされて、助剤供給管２４および洗剤液供給管２６を流れる水が、洗剤収容器２９に収容された洗剤を溶解して洗剤液となって、外槽２に供給される。このとき、洗剤液供給バルブ３３の「開」状態を短時間にし、その時間経過後、「閉」状態にすることで、少量の水に溶解した高濃度の洗剤液を外槽２に供給できる。なお、洗剤液収容器２９に収容される洗剤としては、加熱により、しみ汚れなどと速やかに化学反応して、短時間で汚れを落とすことができる所定の洗剤であって、下記のものを採用できる。
・形態安定剤、オレイン酸、遊離剤および抗酸化剤を混合させた洗剤
・チタンおよびマグネシウムに中性指向性漂白剤を反応させた洗剤（マグタン漂白剤）
・過炭酸からなる洗剤
・過酸化水素水（たとえば、濃度が３５％程度）からなる洗剤
そして、外槽２に供給された高濃度の洗剤液のうち、その一部が、貫通孔４を通って、回転中のドラム３内に流れていくことによって、ドラム３の回転運動によって攪拌される洗濯物全体に満遍なく塗される。一方、その他の洗剤液は、外槽２内の周面などを伝って外槽２の下部へ向かい、水位Ａまで溜められている水と混ざり合うことによって、洗剤成分を含む洗浄水となる。洗浄水の水面は、供給された洗剤液量の分、水位Ａより高くなるので、その高くなった分の洗浄水を利用することによっても、洗剤成分が洗濯物に塗される。
【００５６】
そして、外槽２に溜まっている洗浄水は、洗剤塗布工程の開始後に加熱される（ステップＳ６）。より具体的には、第２蒸気供給バルブ４３が「開」にされて、蒸気が第２蒸気噴出口４２から外槽２内に溜められた洗浄水中に噴出することにより、洗浄水の加熱が行なわれる。これにより洗濯物の加熱洗いが開始される。このとき、水温度センサ５３の測定温度に基づき、第２蒸気供給バルブ４３の「開」状態および「閉」状態の時間が適宜調節される。これにより、洗浄水中に供給される蒸気量が調節されるため、洗浄水液を予め定められた設定温度（高温設定：たとえば、７０℃）付近で安定して加熱することができる。
【００５７】
また、第１蒸気供給管３７からの蒸気供給による洗濯物の加熱も、同じ設定温度（高温設定：たとえば、７０℃）で継続して行なわれている。そのため、ドラム３内の洗濯物を、洗濯物周囲の蒸気および洗浄水の両方面から安定して加熱することができる。
その後、外槽２内の水が水位Ａに到達してから２分経過したか否かが判別され（ステップＳ７）、経過していなければ(ステップＳ７のＮｏ)、洗浄水の温度が７０℃を超えているか否かが判別される（ステップＳ８）。そして、洗浄水の温度が７０℃を超えている場合は（ステップＳ８のＹｅｓ）、第１蒸気供給バルブ４１および第２蒸気供給バルブ４３がともに「閉」にされて（ステップＳ９）蒸気の供給が中断される。一方、７０℃以下の場合は（ステップＳ８のＮｏ）、第１蒸気供給バルブ４１および第２蒸気供給バルブ４３の「開」状態がともに継続されて（ステップＳ１０）、蒸気の供給が継続される。このように、洗浄水の温度を常時７０℃付近に管理することによって洗濯物が熱でいたむことを防止できる。
【００５８】
そして、外槽２内の水が水位Ａに到達してから２分経過すると（ステップＳ７のＹｅｓ）、工程１が終了されることにより、洗剤塗布工程が終了されるとともに、工程２が開始される（ステップＳ１１）。
このように、洗剤塗布工程では、上記した所定の洗剤を含む洗剤液が、加熱された洗浄水を用いた洗濯物の加熱洗い前に洗濯物全体に自動的に塗布されるので、洗濯物をドラム３に収容する前に、洗剤を洗濯物に手作業で塗布する手間を省略することができる。
【００５９】
また、洗剤塗布工程の次に行なわれる加熱洗い工程では、洗剤液が塗布された洗濯物が蒸気の供給によって加熱されるので、洗濯物全体に満遍なく塗された洗剤液が加熱され、洗剤液と洗濯物に付着した汚れとの化学反応を促進させることができる。これによって、洗濯物に付着した汚れ（たとえば、シャツの袖口や襟元などに付着した頑固なしみ汚れなど）を短時間で落とすことができる。
【００６０】
また、洗剤液が高濃度であるため、洗濯物に頑固な脂汚れやしみ汚れなどがこびりついていても簡単に分解することができる。さらに、洗剤液の塗布により、洗濯物全体が洗剤液で濡らされるため、乾燥状態の洗濯物と比較して、洗濯物の嵩が減っている。そのため、ドラム３内に大きな空間を確保することができ、ドラム３内に蒸気を充満させやすくすることができるので、短時間で洗濯物全体をムラなく加熱することができ、効率よく洗剤と汚れとの化学反応を促進させることができる。また、濡れた洗濯物は、洗剤液になじみやすく、洗濯物全体に洗剤が塗布されやすい。
【００６１】
工程２が開始されると、給水バルブ１４が「開」にされて給水が開始されるとともに、中速設定回転数（たとえば、４０ｒｐｍ〜５０ｒｐｍ）でのドラム３の回転、および、第１蒸気供給管３７および第２蒸気供給管３８からの蒸気供給による洗濯物・洗浄水の加熱が継続される（ステップＳ１２）。このときの洗濯物・洗浄水の加熱温度は、工程１における、高温設定（たとえば、７０℃）より低い、中高温設定（たとえば、６０℃）である。
【００６２】
加熱温度を中高温設定の温度（たとえば、６０℃）まで低下させるには、給水量と蒸気の供給量とを調節すればよい。給水量を増やせば加熱温度を下げることができ、蒸気供給量を増やせば加熱温度を上げることができるので、給水バルブ１４、第１蒸気供給バルブ４１および第２蒸気供給バルブ４３の、「開」状態および「閉」状態の時間を適宜調節することによって、中高温設定の加熱温度に制御できる量の水および蒸気を供給すれば、簡単に加熱温度を低下させることができる。
【００６３】
その後、外槽２に所定の設定水位（低）まで水が溜められたか否かが判別され（ステップＳ１３）、設定水位（低）まで水が溜められるまで、継続して給水される。そして、設定水位（低）まで水が溜められると（ステップＳ１３のＹｅｓ）、給水バルブ１４が「閉」にされて給水が停止される（ステップＳ１４）。
その後、給水停止から２分経過したか否かが判別され（ステップＳ１５）、経過していなければ(ステップＳ１５のＮｏ)、洗浄水の温度が６０℃を超えているか否かが判別される（ステップＳ１６）。そして、洗浄水の温度が６０℃を超えている場合は（ステップＳ１６のＹｅｓ）、第１蒸気供給バルブ４１および第２蒸気供給バルブ４３がともに「閉」にされて（ステップＳ１７）蒸気の供給が中断される。一方、６０℃以下の場合は（ステップＳ１６のＮｏ）、第１蒸気供給バルブ４１および第２蒸気供給バルブ４３の「開」状態がともに継続されて（ステップＳ１８）、蒸気の供給が継続される。このように、蒸気の供給量を調節して洗浄水の温度を常時６０℃付近に管理することにより、中高温設定で洗濯物および洗浄水を加熱して洗う加熱洗いが行なわれる。
【００６４】
そして、給水停止後、２分経過すると（ステップＳ１５のＹｅｓ）、工程２が終了されるとともに、工程３が開始される（ステップＳ１９）。
工程３が開始されると、給水バルブ１４が「開」にされて給水が開始されるとともに、中速設定回転数（たとえば、４０ｒｐｍ〜５０ｒｐｍ）でのドラム３の回転、および、第１蒸気供給管３７および第２蒸気供給管３８からの蒸気供給による洗濯物・洗浄水の加熱が継続される（ステップＳ２０）。このときの洗濯物・洗浄水の加熱温度は、工程２における、中高温設定（たとえば、６０℃）より低い、中温設定（たとえば、５０℃）である。この場合も、工程２の場合と同様に、給水バルブ１４、第１蒸気供給バルブ４１および第２蒸気供給バルブ４３の、「開」状態および「閉」状態の時間を適宜調節することによって、中温設定の加熱温度に制御できる量の水および蒸気を供給すれば、簡単に中温設定の温度（たとえば、５０℃）まで低下させることができる。
【００６５】
その後、外槽２に所定の設定水位（中）まで水が溜められたか否かが判別され（ステップＳ２１）、設定水位（中）まで水が溜められるまで、継続して給水される。そして、設定水位（中）まで水が溜められると（ステップＳ２１のＹｅｓ）、給水バルブ１４が「閉」にされて給水が停止される（ステップＳ２２）。
その後、給水停止から１分経過したか否かが判別され（ステップＳ２３）、経過していなければ(ステップＳ２３のＮｏ)、洗浄水の温度が５０℃を超えているか否かが判別される（ステップＳ２４）。そして、洗浄水の温度が５０℃を超えている場合は（ステップＳ２４のＹｅｓ）、第１蒸気供給バルブ４１および第２蒸気供給バルブ４３がともに「閉」にされて（ステップＳ２５）蒸気の供給が中断される。一方、５０℃以下の場合は（ステップＳ２４のＮｏ）、第１蒸気供給バルブ４１および第２蒸気供給バルブ４３の「開」状態がともに継続されて（ステップＳ２６）、蒸気の供給が継続される。このように、蒸気の供給量を調節して洗浄水の温度を常時５０℃付近に管理することにより、中温設定で洗濯物および洗浄水を加熱して洗う加熱洗いが行なわれる。
【００６６】
そして、給水停止後、１分経過すると（ステップＳ２３のＹｅｓ）、排水バルブ５６が「開」にされて外槽２内の洗浄水が外部の排水溝に排出される。また、第１蒸気供給バルブ４１および第２蒸気供給バルブ４３が、「閉」にされて蒸気の供給が停止される（ステップＳ２７）。
排水が完了すると、洗濯物に含まれる洗浄水を取り除くため、中間脱水が行なわれる（ステップＳ２８）。このとき、洗濯物は、その内部にこもっている熱によって中温（たとえば、５０℃）で保温されている。そして、中間脱水が終了されると、工程３が終了されることにより加熱洗いが終了されるとともに、すすぎが開始される（ステップＳ２９）。
【００６７】
すすぎが開始されると、排水バルブ５６が「閉」にされ、給水バルブ１４が「開」にされて給水が開始されるとともに、第２蒸気供給管３８からの蒸気供給が開始されることにより、すすぎ水の加熱が行なわれる（ステップＳ３０）。このときのすすぎ水の加熱温度は、工程３における、中温設定（たとえば、５０℃）より低い、低温設定（たとえば、４０℃）である。この場合も、工程２の場合と同様に、給水バルブ１４および第２蒸気供給バルブ４３の、「開」状態および「閉」状態の時間を適宜調節することによって、低温設定の加熱温度に制御できる量の水および蒸気を供給すれば、簡単に低温設定の温度（たとえば、４０℃）まで低下させることができる。
【００６８】
そして、所定の水位まで水が溜められると、ドラム３が回転されることによって、すすぎが行なわれる（ステップＳ３１）。
このように、洗濯物の加熱洗いは、洗濯物の温度が中高温設定（たとえば、７０℃）で開始され、中温設定（たとえば、５０℃）で終了される。また、加熱洗い後のすすぎも、洗濯物を低温設定（たとえば、４０℃）まで加熱して行なわれる。洗濯物の温度を７０℃→６０℃→５０℃→４０℃と段階的に低下させることにより、洗濯物が急激に冷やされることを抑制することができる。その結果、洗濯物が、急激な温度変化によって洗濯物のシワを固定化させてしまう性質の化学繊維を組成として含んでいても、洗濯物にシワが生じ難くすることができる。
【００６９】
また、上記のように、洗濯物の加熱温度を段階的に低下させる制御を、給水バルブ１４、第１蒸気供給バルブ４１および第２蒸気供給バルブ４３の、「開」状態および「閉」状態の時間を適宜調節して、各加熱設定温度（たとえば、中高温設定、中温設定など）に制御できる量の水および蒸気を供給するだけという簡単な操作で行なうことができる。
さらに、各加熱温度（たとえば、７０℃、６０℃など）での加熱洗いの時間は、設定水位に達してから何分経過したか否かというように、水位で管理されている（たとえば、ステップＳ７、ステップＳ１５など）。加熱温度に達してから何分経過したか否かというように、熱で管理されないので、加熱が遅いことにより洗濯時間が長引くこともない。
【００７０】
その後、すすぎが終了され、脱水が行なわれて（ステップＳ３２）、運転が終了する。
この発明は、以上説明した実施形態に限定されるものではなく、請求項記載の範囲内において種々の変更が可能である。
たとえば、上述の実施形態では、初期給水工程において、水位Ａまで水を溜めたが、水面がドラム３の最下面に接する水位まで水を溜める形態であってもよい。
【００７１】
また、加熱洗いにおいて、加熱温度を７０℃→６０℃→５０℃と段階的に低下させたが、７０℃から５０℃へと徐々に低下させてもよい。また、加熱温度も、これらに限定されるものではなく、ドラム式洗濯機１の外部環境（たとえば、寒冷地、温暖地など）に応じて、適宜変更してもよい。
【図面の簡単な説明】
【００７２】
【図１】この発明の一実施形態に係るドラム式洗濯機の概略配管図である。
【図２】ドラム式洗濯機の電気的構成を示すブロック図であって、この発明に関連する部分を示したものである。
【図３Ａ】ドラム式洗濯機の運転の流れを示すフローチャートである。
【図３Ｂ】ドラム式洗濯機の運転の流れを示すフローチャートであって、図３Ａに示されるフローに続くフローを示す図である。
【図３Ｃ】ドラム式洗濯機の運転の流れを示すフローチャートであって、図３Ｂに示されるフローに続くフローを示す図である。
【符号の説明】
【００７３】
１    ドラム式洗濯機
２    外槽
３    ドラム
４    貫通孔
７    蒸気供給部
８    水道水供給部
９    助剤供給部
１０  給水管
１４  給水バルブ
１５  合流管
２３  分岐管
２４  助剤供給管
２６  洗剤液供給管
２９  洗剤収容器
３３  洗剤液供給バルブ
３６  蒸気供給管
３７  第１蒸気供給管
３８  第２蒸気供給管
４１  第１蒸気供給バルブ
４３  第２蒸気供給バルブ
６０  制御部
【図１】
2008125889.tif 000003
【図２】
2008125889.tif 000004
【図３Ａ】
2008125889.tif 000005
【図３Ｂ】
2008125889.tif 000006
【図３Ｃ】
2008125889.tif 000007